(57)【要約】【課題】押圧舌片の押し込み姿勢を安定的に維持してノズルヘッドの確実な押圧により残留ガスを全て放出できるオーバーキャップを提案する。【解決手段】エアゾール容器のマウンティングカップ１に形成された環状縁部に着脱自在に係合してノズルヘッド３を内側に収納するオーバーキャップ４において、前記ノズルヘッド３の頂面に位置する天面壁4aと、この天面壁4aの縁部に一体的につながり該ノズルヘッド３を取り囲んでその内側に収納空間を形成する周壁4bにて構成する。前記天面壁4aには、破断予定線にて区画形成され、その基部5aを起点にした押し込みを可能とする片持ち支持タイプの押圧舌片５を設ける。また、前記収納空間Ｍ内には、押し込みにかかる押圧舌片５を係止してその先端をノズルヘッド３に向けて指向させるストッパー６を設ける。【選択図】図２
2007176524.tif 000002
【特許請求の範囲】
【請求項１】
エアゾール容器のマウンティングカップに形成された環状縁部に着脱自在に係合してノズルヘッドを内側に収納するオーバーキャップであって、
前記ノズルヘッドの頂面に位置する天面壁と、この天面壁の縁部に一体的につながり該ノズルヘッドを取り囲んでその内側に収納空間を形成する周壁からなり、
前記天面壁に、破断予定線によって区画形成され、その基部を起点にした押し込みを可能とする片持ち支持タイプの押圧舌片を設け、
前記収納空間内に、押し込みにかかる押圧舌片を係止してその先端をノズルヘッドに向けて指向させるストッパーを設けたことを特徴とするオーバーキャップ。
【請求項２】
前記ストッパーが、押圧舌片を両側エッジにて挟持する一対の係止片である、請求項１記載のオーバーキャップ。
【請求項３】
前記ストッパーが、押圧舌片の裏面に設けられた溝部と、天面壁の裏面及び周壁裏面の少なくとも一方に設けられ押圧舌片の押し込みに際して該溝部に嵌合する凸部からなる、請求項１又は２記載のオーバーキャップ。
【請求項４】
前記破断予定線が、天面壁の表裏において貫通するスリット若しくは溝底を薄肉とした溝部からなる請求項１〜３の何れかに記載のオーバーキャップ。
【請求項５】
前記スリットは、押圧舌片と天面壁との相互間を破断可能につなぐ１個又は２個以上のブリッジ片を有する請求項４に記載のオーバーキャップ。
【発明の詳細な説明】
【技術分野】
【０００１】
本発明は、エアゾール容器用のオーバーキャップに関するものであり、使用済みエアゾール容器内に残留するガスを該容器から確実に排出してより安全な廃棄を実現しようとするものである。
【背景技術】
【０００２】
エアゾール容器は、容器内の内容物を使い切った後においてもその内部には内容物を噴出させるガスが残留しており、容器の廃棄に際しては、安全性の観点から容器に孔を開けて残留するガスを全て放出するのが普通であった。
【０００３】
ところで、かかる孔開け作業は手間がかかるうえ、残留ガスを放出することなしに容器が廃棄されることもあって、その点に関する改善の余地が残されていた。
【０００４】
エアゾール容器に係わる先行技術としては、キャップの胴部に該胴部を周方向に切り裂く切り裂き線を設け、この切り裂き線によって区画された帯状部を胴部の内方へ押し込み、ノズル釦の上面に押し当てることで容器内に残留するガスを放出するエアゾール容器用キャップが提案されている（例えば、特許文献１参照）。
【特許文献１】特開2004-315011号公報
【０００５】
しかしながら、上記のような従来のキャップは、ノズル釦を押圧する帯状部の姿勢が不安定になることもあって、残留ガスを完全に排出するまで確実にノズルヘッドを押圧できる機構の開発が望まれていた。
【発明の開示】
【発明が解決しようとする課題】
【０００６】
本発明の課題は、簡単な操作で容器内の残留ガスを確実に放出させることができる新規なエアゾール容器用オーバーキャップを提案するところにある。
【課題を解決するための手段】
【０００７】
本発明は、エアゾール容器のマウンティングカップに形成された環状縁部に着脱自在に係合してノズルヘッドを内側に収納するオーバーキャップであって、
前記ノズルヘッドの頂面に位置する天面壁と、この天面壁の縁部に一体的につながり該ノズルヘッドを取り囲んでその内側に収納空間を形成する周壁からなり、
前記天面壁に、破断予定線によって区画形成され、その基部を起点にした押し込みを可能とする片持ち支持タイプの押圧舌片を設け、
前記収納空間内に、押し込みにかかる押圧舌片を係止してその先端をノズルヘッドに向けて指向させるストッパーを設けたことを特徴とするオーバーキャップである。
【０００８】
上記の構成になるオーバーキャップにおいてストッパーは、押圧舌片をその両側エッジにて挟持する一対の係止片とするのがよい。また、ストッパーは、押圧舌片の裏面に一体的に設けられ溝部と、天面壁の裏面及び周壁裏面の少なくとも一方に設けられ押圧舌片の押し込みに際して該溝部に嵌合する凸部を適用することもできる。
【０００９】
破断予定線は、天面壁の表裏において貫通するスリットあるいは溝底を薄肉とした溝部にて構成することが可能で、破断予定線をスリットとする場合には、押圧舌片と天面壁との相互間を破断可能につなぐ１個又は２個以上のブリッジ片を設けるのが好ましい。
【発明の効果】
【００１０】
押圧舌片を押し込んだときにその押し込み姿勢を維持できるストッパーを設けたので、ノズルヘッドの確実な押圧が可能となる。
【発明を実施するための最良の形態】
【００１１】
以下、図面を用いて本発明をより具体的に説明する。
図１は本発明に従うオーバーキャップの外観斜視図であり、図２はその側面を断面で示した図であり、図３はその平面を示した図である。
【００１２】
図における１はエアゾール容器のマウンティングカップ、２はエアゾール容器内の内容物を噴出させるステム、３はステム２に装着されたノズルヘッドである（図２参照）。
【００１３】
また、４はマウンティングカップ１に形成された環状縁部にアンダーカットの如き係合手段Ｃにて着脱自在に係合してノズルヘッド３を内側に収納するオーバーキャップである。
【００１４】
オーバーキャップ４は、ノズルヘッド３の頂面3aに間隔を隔てて位置する天面壁4aと、この天面壁4aの縁部に一体的につながり該ノズルヘッド３を取り囲んでその内側に収納空間Ｍを形成する周壁4bからなる。
【００１５】
また、５は天面壁4aの表裏において貫通するスリットＳを破断予定線として区画形成された片持ち支持タイプの押圧舌片である。この押圧舌片５はその基部5aを起点にした押し込みを可能としている。
【００１６】
６は収納空間Ｍ内に設けられたストッパーである（図２参照）。このストッパー６は間隔を開けて配置された２つの縦リブ（係止片）6a、6bを対向位置に２組有しており、押し込みにかかる押圧舌片５のエッジを縦リブ6a、6bの相互間に位置せしめ（挟持する）てその先端をノズルヘッド３の頂面に向けて指向させる（図４、図５参照）。さらに、７は押圧舌片５と天面壁4aとの相互間を引きちぎり可能につなぐブリッジ片である。
【００１７】
内容物を使い切ったのち、押圧舌片５を図１に示す状態から図４、図５に示す状態に押し込んでオーバーキャップ４をマウンティングカップ１に装着するか、あるいはオーバーキャップ４をマウンティングカップ１に装着してから押圧舌片５を押し込むと、ノズルヘッド３は押圧された状態に保持され、容器内に残留したガスは、押圧舌片５の押し込みによって開放された開口を経て外界へと放出されることになる。
【００１８】
図６、図７は本発明に従うオーバーキャップの他の実施の形態を示したものである。図における８は押圧舌片５の裏面に一体的に設けられたブロックであり、このブロック８には溝部8aが形成されている。また、９は天面壁4aの裏面から周壁4bの裏面にかけて一体的に形成された縦リブである。この縦リブ９の先端には楔状の凸部9aが形成されている。
【００１９】
上記の構成になるオーバーキャップ４は、図８に示すように押圧舌片５を押し込んだときブロック８の溝部8aに縦リブ９の凸部9aが嵌合（図７の仮想線参照）して該押圧舌片５の押し込み姿勢を維持するものであって、ノズルヘッド３の確実な押圧が可能となる。
【００２０】
溝部8aと縦リブ９の凸部9aには、より確実な嵌合を実現するためそれらにおいて相互に乗り越える突起を設けることができる。
【００２１】
上掲図１〜３に示したタイプのオーバーキャップにおいては図６〜８に示したようなブロック８及び縦リブ９を追加した図９、図10に示すオーバーキャップを採用することもできる。
【００２２】
かかる構造のオーバーキャップは、押圧舌片５のエッジを縦リブ6a、6bの相互間に位置せしめ、かつ、ブロック８及び縦リブ９にて押圧舌片５の押し込み姿勢を確実に維持できるので、ノズルヘッド３の押圧により残留ガスの確実な放出が可能となる。
【００２３】
破断予定線は、スリットＳとして図示したが、これは破断可能であれば溝底を薄肉にした溝部でもよく、この点については限定されない。
【産業上の利用可能性】
【００２４】
押圧舌片の押し込み姿勢を維持してノズルヘッドを残留ガスの排出完了に至るまで押圧できるオーバーキャップが提供できる。
【図面の簡単な説明】
【００２５】
【図１】本発明に従うオーバーキャップの外観斜視図である。
【図２】図１に示したオーバーキャップの側面を断面で示した図である。
【図３】図１に示したオーバーキャップの平面を示した図である。
【図４】押圧舌片を押し込んだ状態を示したオーバーキャップの外観斜視図である。
【図５】押圧舌片を押し込んだ状態の断面を示した図である。
【図６】本発明に従うオーバーキャップの他の実施の形態を側面について示した図である。
【図７】図６に示したオーバーキャップの平面を示した図である。
【図８】図６に示したオーバーキャップにつき、押圧舌片を押し込んだ状態を断面で示した図である。
【図９】本発明に従うオーバーキャップのさらに他の実施の形態を示した図である。
【図１０】図９の平面を示した図である。
【符号の説明】
【００２６】
１  マウンティングカップ
２  ステム
３  ノズルヘッド
４  オーバーキャップ
4a  天面壁
4b  周壁
５  押圧舌片
5a  基部
６  ストッパー
6a  縦リブ
6b  縦リブ
７  ブリッジ片
８  ブロック
8a  溝部
９  縦リブ
9a  凸部
Ｍ  収納空間
Ｃ  係合手段
【図１】
2007176524.tif 000003
【図２】
2007176524.tif 000004
【図３】
2007176524.tif 000005
【図４】
2007176524.tif 000006
【図５】
2007176524.tif 000007
【図６】
2007176524.tif 000008
【図７】
2007176524.tif 000009
【図８】
2007176524.tif 000010
【図９】
2007176524.tif 000011
【図１０】
2007176524.tif 000012